(57)【要約】    【課題】  被測定物から放射される電磁波の伝播ロスを低減して電磁界強度の測定をする。    【解決手段】  電磁波を放射する被測定物１から離れた位置に配設され、被測定物１からの電磁波を受信する複数の受信アンテナ２と、各受信アンテナ２にそれぞれ接続され、該受信アンテナ２で受信される受信信号にそれぞれ異なる周波数のローカル信号を付加して出力する複数の周波数変換回路３と、該複数の周波数変換回路３に同軸ケーブル１８で接続され、各周波数変換回路３の出力信号を合成して、前記被測定物１から放射される電磁波の電磁界強度を測定する測定器に出力する合成器４と、を備えたものである。【選択図】      図１
2006234602.tif 000002
【特許請求の範囲】
【請求項１】
電磁波を放射する被測定物から離れた位置に配設され、被測定物から放射される電磁波を受信する複数の受信アンテナと、
各受信アンテナにそれぞれ接続され、該受信アンテナで受信される受信信号にそれぞれ異なる周波数のローカル信号を付加して出力する複数の周波数変換回路と、
該複数の周波数変換回路に有線で接続され、各周波数変換回路の出力信号を合成して、前記被測定物から放射される電磁波の電磁界強度を測定する測定器に出力する合成器と、
を備えたことを特徴とする電磁界測定装置。
【請求項２】
前記周波数変換回路は、前記ローカル信号を生成する発振器と、該発振器で生成されたローカル信号に含まれる高調波成分を除去するローパスフィルタと、前記受信アンテナから入力する受信信号と前記ローパスフィルタを通過したローカル信号とを混合するミキサーとを備えたことを特徴とする請求項１記載の電磁界測定装置。
【請求項３】
前記受信アンテナは、電磁波の水平偏波を受信する水平偏波受信用アンテナと、垂直偏波を受信する垂直偏波受信用アンテナとからなることを特徴とする請求項１又は２記載の電磁界測定装置。
【請求項４】
前記受信アンテナは、前記水平偏波受信用アンテナのポールと垂直偏波受信用アンテナのポールとを直交させて一体的に形成したことを特徴とする請求項３記載の電磁界測定装置。
【請求項５】
前記水平偏波受信用アンテナのポールと垂直偏波受信用アンテナのポールとは、プリント基板上に導体膜を形成したものであることを特徴とする請求項４記載の電磁界測定装置。
【請求項６】
前記受信アンテナの後段には、前記水平偏波受信用アンテナ及び垂直偏波受信用アンテナの受信信号を切り換えて前記周波数変換回路に供給する偏波切替スイッチを備えたことを特徴とする請求項３〜５のいずれか１項に記載の電磁界測定装置。
【請求項７】
前記複数の受信アンテナは、縦に延びるフレームの電磁波到来側の面に縦横方向にマトリクス状に、又は縦に一列に並べて配設されたことを特徴とする請求項１〜６のいずれか１項に記載の電磁界測定装置。
【請求項８】
前記複数の受信アンテナは、電磁波の到来方向と直交する方向に移動可能とされたことを特徴とする請求項７記載の電磁界測定装置。
【請求項９】
前記複数の受信アンテナは、円弧状のフレームの電磁波到来側の面に一列に並べて配設され、前記円弧状のフレームの中心に回転可能に設置された被測定物からの電磁波を受信することを特徴とする請求項１〜６のいずれか１項に記載の電磁界測定装置。
【請求項１０】
前記複数の受信アンテナは、電磁波の到来方向と同方向に移動可能とされたことを特徴とする請求項９記載の電磁界測定装置。
【請求項１１】
前記複数の受信アンテナが配設された前記フレームの電磁波到来側の面には、該フレームの電磁波到来側の面で反射される電磁波を軽減する電波吸収体を設けたことを特徴とする請求項７〜１０のいずれか１項に記載の電磁界測定装置。
【請求項１２】
前記複数の受信アンテナは、立方体の部屋の内側の六面に内方を向いて配設されたことを特徴とする請求項１〜６のいずれか１項に記載の電磁界測定装置。
【請求項１３】
前記複数の受信アンテナは、電磁界強度を測定するための球形の電波暗室の内面に内方を向いて配設されたことを特徴とする請求項１〜６のいずれか１項に記載の電磁界測定装置。
【発明の詳細な説明】
【技術分野】
【０００１】
本発明は、被測定物から放射される電磁波の電磁界強度を測定する電磁界測定装置に関し、詳しくは、複数の受信アンテナの受信信号にローカル信号を付加して出力される信号を有線で受けて、被測定物から放射される電磁波の伝播ロスを低減して電磁界強度の測定を可能にする電磁界測定装置に係るものである。
【背景技術】
【０００２】
従来の電磁界測定装置は、それぞれ異なる周波数のローカル信号が印加され、所定の半径の円周上に配設された複数の変調散乱素子と、各変調散乱素子から等距離の位置に配設され、被測定物から放射される電磁波の放射信号が変調散乱素子で変調された変調散乱信号を受信する受信アンテナとを備えて、被測定物から放射される電磁波の電磁界特性を複雑な解析を必要とせず、瞬時に探知できるようにしている（例えば、特許文献１参照）。
【特許文献１】特開２０００４−２５１６７９号公報
【発明の開示】
【発明が解決しようとする課題】
【０００３】
しかし、このような従来の電磁界測定装置においては、被測定物から放射される電磁波の放射信号を変調散乱素子で受け、これを変調した放射信号（変調散乱波）を変調散乱素子から放射し、この放射信号（変調散乱波）を受信アンテナで受信して測定するようになっているので、電磁波の伝播ロスが大きくて受信アンテナで受信される受信信号の強度が低下する。そのため、被測定物から放射される電磁界強度が弱い場合にはＳ／Ｎが悪くて精度よく測定することが困難である。さらに、受信信号の強度が低いことから、外部から入射する不要な電磁波の影響も受けやすくなり、電磁界強度の測定精度がより悪くなる虞がある。
【０００４】
また、円周上に配置された複数の変調散乱素子からの変調散乱波を受信アンテナで受信するようにしているので、受信アンテナの設置位置は各変調散乱素子から等距離の上記円を底面とする円錐の頂点位置に限定される。したがって、変調散乱波の受信アンテナによる電磁界の測定可能な範囲は上記円内に限られ、三次元の電磁界強度を測定することが困難である。
【０００５】
さらに、変調散乱波受信アンテナを各変調散乱素子から等距離の位置に配設して各変調散乱素子からの変調散乱波を受信するようになっているので、変調散乱波受信アンテナに水平偏波と垂直偏波の無視指向性特性が要求されるが、このようなアンテナは存在しない。したがって、垂直偏波受信用アンテナと水平偏波受信用アンテナとを一体的に形成して両者を切り替えて測定することが困難である。
【０００６】
そして、上記電磁界測定装置においては、変調散乱素子がダイポールアンテナと該ダイポールアンテナの給電端に並列に挿入されたダイオードとで構成されているので、ダイオードにローカル信号を給電する同軸ケーブルとダイポールアンテナとの間のインピーダンス整合を取るのが困難である。したがって、被測定物から放射される放射信号をローカル信号で周波数変換して変調散乱波として放射する際に変換ロスが大きくなる虞がある。
【０００７】
そこで、本発明は、このような問題点に対処し、被測定物から放射される電磁波の伝播ロスを低減して電磁界強度の測定を可能にする電磁界測定装置を提供することを目的とする。
【課題を解決するための手段】
【０００８】
上記目的を達成するために、本発明による電磁界測定装置は、電磁波を放射する被測定物から離れた位置に配設され、被測定物から放射される電磁波を受信する複数の受信アンテナと、各受信アンテナにそれぞれ接続され、該受信アンテナで受信される受信信号にそれぞれ異なる周波数のローカル信号を付加して出力する複数の周波数変換回路と、該複数の周波数変換回路に有線で接続され、各周波数変換回路の出力信号を合成して、前記被測定物から放射される電磁波の電磁界強度を測定する測定器に出力する合成器と、を備えたものである。
【０００９】
このような構成により、電磁波を放射する被測定物から離れた位置に配設された複数の受信アンテナで被測定物から放射される電磁波を受信し、各受信アンテナにそれぞれ接続された周波数変換回路で各受信アンテナにより受信される受信信号にそれぞれ異なる周波数のローカル信号を付加して出力し、この複数の周波数変換回路に有線で接続された合成器で各周波数変換回路の出力信号を合成して、被測定物から放射される電磁波の電磁界強度を測定する測定器に出力する。
【００１０】
また、前記周波数変換回路は、前記ローカル信号を生成する発振器と、該発振器で生成されたローカル信号に含まれる高調波成分を除去するローパスフィルタと、前記受信アンテナから入力する受信信号と前記ローパスフィルタを通過したローカル信号とを混合するミキサーとを備えたものである。これにより、発振器でローカル信号を生成し、ローパスフィルタでローカル信号に含まれる高調波成分を除去し、ミキサーで受信アンテナから入力する受信信号とローパスフィルタを通過したローカル信号とを混合する。
【００１１】
さらに、前記受信アンテナは、電磁波の水平偏波を受信する水平偏波受信用アンテナと、垂直偏波を受信する垂直偏波受信用アンテナとからなるものである。これにより、水平偏波受信用アンテナで電磁波の水平偏波を受信し、垂直偏波受信用アンテナで垂直偏波を受信する。
【００１２】
さらにまた、前記受信アンテナは、前記水平偏波受信用アンテナのポールと垂直偏波受信用アンテナのポールとを直交させて一体的に形成したものである。これにより、水平偏波受信用アンテナのポールと垂直偏波受信用アンテナのポールとを直交させて一体的に形成した受信アンテナで被測定物から放射される電磁波を受信する。
【００１３】
そして、前記水平偏波受信用アンテナのポールと垂直偏波受信用アンテナのポールとは、プリント基板上に導体膜を形成したものである。これにより、導体膜をプリント基板上に形成した水平偏波受信用アンテナのポールと垂直偏波受信用アンテナのポールとで被測定物から放射される電磁波を受信する。
【００１４】
また、前記受信アンテナの後段には、前記水平偏波受信用アンテナ及び垂直偏波受信用アンテナの受信信号を切り換えて前記周波数変換回路に供給する偏波切替スイッチを備えたものである。これにより、受信アンテナの後段に備えた偏波切換スイッチで水平偏波受信用アンテナ及び垂直偏波受信用アンテナの受信信号を切り換えて周波数変換回路に供給する。
【００１５】
さらに、前記複数の受信アンテナは、縦に延びるフレームの電磁波到来側の面に縦横方向にマトリクス状に、又は縦に一列に並べて配設されたものである。これにより、縦に延びるフレームの電磁波到来側の面に縦横方向にマトリクス状に、又は縦に一列に並べて配設された複数の受信アンテナで被測定物から放射される電磁波を受信する。
【００１６】
さらにまた、前記複数の受信アンテナは、電磁波の到来方向と直交する方向に移動可能とされたものである。これにより、電磁波の到来方向と直交する方向に複数の受信アンテナを移動する。
【００１７】
そして、  前記複数の受信アンテナは、円弧状のフレームの電磁波到来側の面に一列に並べて配設され、前記円弧状のフレームの中心に回転可能に設置された被測定物からの電磁波を受信するものである。これにより、円弧状のフレームの電磁波到来側の面に一列に並べて配設された複数の受信アンテナで円弧状のフレームの中心に回転可能に設置された被測定物からの電磁波を受信する。
【００１８】
また、前記複数の受信アンテナは、電磁波の到来方向と同方向に移動可能とされたものである。これにより、電磁波の到来方向と同方向に複数の受信アンテナを移動する。
【００１９】
さらに、前記複数の受信アンテナが配設された前記フレームの電磁波到来側の面には、該フレームの電磁波到来側の面で反射される電磁波を軽減する電波吸収体を設けたものである。これにより、複数の受信アンテナが配設されたフレームの電磁波到来側の面に設けた電波吸収体でフレームの電磁波到来側の面で反射される電磁波を軽減する。
【００２０】
さらにまた、前記複数の受信アンテナは、立方体の部屋の内側の六面に内方を向いて配設されたものである。これにより、立方体の部屋の内側の六面に内方を向いて配設された複数のアンテナで部屋内の電磁界強度分布を測定する。
【００２１】
そして、前記複数の受信アンテナは、電磁界強度を測定するための球形の電波暗室の内面に内方を向いて配設されたものである。これにより、球形の電波暗室の内面に内方を向いて配設された複数の受信アンテナで電磁界強度を測定する。
【発明の効果】
【００２２】
請求項１に係る発明によれば、被測定物から離れた位置に配設された複数の受信アンテナで被測定物からの電磁波を受信し、各受信アンテナで受信された信号にそれぞれ異なる周波数のローカル信号を付加し、これらを合成して出力して電磁界強度の測定を可能としたことにより、電磁波の伝播路は被測定物と各受信アンテナとの間だけとなり、被測定物から放射される電磁波の伝播ロスが低減されて受信Ｓ／Ｎが向上する。したがって、被測定物から放射される電磁界が弱い場合にも電磁界強度の測定を精度よく行うことができる。また、電磁波の伝播ロスが低減されるため、被測定物からの電磁波を高レベルで受信することができ、外部から入射する不要な電磁波の影響を受け難くなり、これによっても電磁界強度の測定精度を向上することができる。さらに、各受信アンテナで受信される受信信号にそれぞれ異なる周波数のローカル信号を付加するようにしたことにより、該ローカル信号によって各受信アンテナの位置情報を得ることができ、被測定物から放射される電磁波を各受信アンテナで同時に受信して処理することができる。したがって、電磁界強度の測定を高速で行うことができる。
【００２３】
また、請求項２に係る発明によれば、発振器で生成されたローカル信号に含まれる高調波成分をローパスフィルタで除去して受信アンテナから入力する受信信号と混合するものとしたことにより、ローカル信号の高調波成分を受信信号が周波数変換されたものと誤って検知するのを防止することができる。したがって、電磁界強度の測定精度をより向上することができる。
【００２４】
さらに、請求項３に係る発明によれば、受信アンテナを電磁波の水平偏波を受信する水平偏波受信用アンテナと垂直偏波を受信する垂直偏波受信用アンテナとからなるものとしたことにより、被測定物から放射される電磁波の水平偏波及び垂直偏波のいずれも受信することができる。
【００２５】
さらにまた、請求項４に係る発明によれば、水平偏波受信用アンテナのポールと垂直偏波受信用アンテナのポールとを直交させて一体的に形成したことにより、一つの受信アンテナで水平偏波及び垂直偏波の両方を受信することができる。
【００２６】
そして、請求項５に係る発明によれば、水平偏波受信用アンテナのポールと垂直偏波受信用アンテナのポールとをプリント基板上に導体膜を形成したものとしたことにより、受信アンテナをフォトリソグラフィー技術を使用して容易に製造することができ、製造コストを低減することができる。また、プリント基板の誘電体による実行波長の短縮効果によりアンテナの小型化ができる。
【００２７】
また、請求項６に係る発明によれば、受信アンテナの後段に、水平偏波受信用アンテナ及び垂直偏波受信用アンテナの受信信号を切り換えて周波数変換回路に供給する偏波切替スイッチを備えたことにより、周波数変換回路の数を減らすことができる。したがって、装置のコストを安くすることができる。
【００２８】
さらに、請求項７に係る発明によれば、複数の受信アンテナを、縦に延びるフレームの電磁波到来側の面に縦横方向にマトリクス状に、又は縦に一列に並べて配設したことにより、電磁界強度の二次元又は一次元測定を瞬時に行うことができる。
【００２９】
そして、請求項８に係る発明によれば、複数の受信アンテナを電磁波の到来方向と直交する方向に移動可能としたことにより、移動する被測定物に受信アンテナを追従させて移動し、被測定物から放射される電磁波の電磁界強度の時間変化をリアルタイムで測定することができる。
【００３０】
また、請求項９に係る発明によれば、複数の受信アンテナが円弧状のフレームの電磁波到来側の面に一列に並べて配設され、上記円弧状のフレームの中心に回転可能に設置された被測定物からの電磁波を受信するものとしたことにより、少ない受信アンテナで被測定物から放射される電磁波の三次元の電磁界強度を高速で測定することができる。したがって、装置のコストを安くすることができる。
【００３１】
さらに、請求項１０に係る発明によれば、複数の受信アンテナを電磁波の到来方向と同方向に移動可能としたことにより、被測定物を設置する際に受信アンテナを後方にずらして行うことができ、作業が容易になる。
【００３２】
そして、請求項１１に係る発明によれば、複数の受信アンテナが配設されたフレームの電磁波到来側の面に電波吸収体を設けたことにより、上記フレームの電磁波到来側の面で反射される電磁波を軽減することができる。したがって、フレームによる反射波の影響を軽減して測定精度を向上することができる。
【００３３】
また、請求項１２に係る発明によれば、複数の受信アンテナを、立方体の部屋の内側の六面に内方を向いて配設したことにより、立方体の部屋内の電磁界強度分布を測定することができる。したがって、例えば無線ＬＡＮの受信器の設置場所を設定するのに好適である。
【００３４】
そして、請求項１３に係る発明によれば、複数の受信アンテナを、電磁界強度を測定するための球形の電波暗室の内面に内方を向いて配設したことにより、被測定物から放射される電磁波の三次元の電磁界強度を瞬時に測定することができる。
【発明を実施するための最良の形態】
【００３５】
以下、本発明の実施形態を添付図面に基づいて詳細に説明する。図１は本発明による電磁界測定装置の第１の実施形態の要部を拡大して示す斜視図であり、図２は第１の実施形態における複数の受信アンテナを示す正面図であり、図３は図２の側面図である。この電磁界測定装置は、被測定物１から放射される電磁波の電磁界強度を測定するもので、受信アンテナ２と、周波数変換回路３と、合成器４とからなる。
【００３６】
上記受信アンテナ２は、被測定物１から放射される電磁波を受信するもので、図３に示すように、電磁波を放射する被測定物１と対面して離れた位置に複数配設されている。この受信アンテナ２は、例えば一直線状に伸びるポールを備えたダイポールアンテナであり、図１に示すように電磁波の水平偏波を受信する水平偏波受信用アンテナ６のポールと垂直偏波を受信する垂直偏波受信用アンテナ７のポールとを直交させて一体的に形成したものである。この実施形態においては、水平偏波受信用アンテナ６のポールと垂直偏波受信用アンテナ７のポールとは、プリント基板８上に導体膜６ａ，６ｂと７ａ，７ｂとを形成したものである。
【００３７】
そして、上記複数の受信アンテナ２は、図３に示すように、縦に延びるフレーム１０の電磁波到来側（同図に示す矢印Ａ側）の面に、図２に示すように縦横方向にマトリクス状に配設されて、被測定物１から放射される電磁波を二次元の面内で同時に受信することができるようになっている。なお、上記複数の受信アンテナ２は、縦及び横方向にジグザグ状に配設されたものであってもよい。これにより、各受信アンテナ２の間隔を狭くすることができて、緻密な電磁界分布を測定することができる。また、複数の受信アンテナ２が配設された上記フレーム１０の電磁波到来側の面には電波吸収体１１を設けて、フレーム１１の電磁波到来側の面で反射される電磁波を軽減するようになっている。
【００３８】
上記複数の受信アンテナ２には、図１に示すように、それぞれ周波数変換回路３が同軸ケーブル（有線）１２で接続されている。この周波数変換回路３は、各受信アンテナ２で受信される受信信号（図４に示す符号ｆ0参照）にそれぞれ異なる周波数のローカル信号（図４に示す符号ｆ1，ｆ2，ｆ3，…ｆn参照）を各受信アンテナ２の位置情報として付加して出力するものであり、図４に示すように、発振器１３と、ローパスフィルタ１４と、ミキサー１５と、増幅器１６とからなる。
【００３９】
上記発振器１３は、複数の受信アンテナ２の位置情報としてのローカル信号を生成するものであり、各受信アンテナ２の配設位置に対応して予め設定された周波数ｆ1〜ｆnの信号を発振するようになっている。また、上記ローパスフィルタ１４は、上記発振器１３で生成されたローカル信号に含まれる高調波成分を除去するものであり、そのカットオフ周波数ｆcは、ｆc＜ｆ0に設定される。さらに、上記ミキサー１５は、ローパスフィルタ１４を通過したローカル信号ｆ1〜ｆnと上記各受信アンテナ２から入力する受信信号ｆ0とを混合して、受信信号ｆ0を（ｆ0±ｆ1），（ｆ0±ｆ2），（ｆ0±ｆ3），…（ｆ0±ｆn）の周波数成分を含む信号に変換するものである。そして、上記増幅器１６は、上記周波数変換された受信信号（ｆ0±ｆ1）〜（ｆ0±ｆn）を所定のレベルまで増幅するものである。なお、受信アンテナ２の後段には、上記水平偏波受信用アンテナ６及び垂直偏波受信用アンテナ７の受信信号を切り換えて上記周波数変換回路３に供給する偏波切替スイッチ１７を備え、一つの周波数変換回路３で水平偏波と垂直偏波との両方が測定できるようになっている。
【００４０】
上記複数の周波数変換回路３には、合成器４が同軸ケーブル（有線）１８で接続されている。この合成器４は、各周波数変換回路３の出力信号（ｆ0±ｆ1）〜（ｆ0±ｆn）を合成し、（ｆ0±ｆ1）＋（ｆ0±ｆ2）＋（ｆ0±ｆ3）＋…＋（ｆ0±ｆn）として例えば一本の信号線１９により出力するものである。そして、上記合成出力（ｆ0±ｆ1）＋…＋（ｆ0±ｆn）を、合成器４に接続された測定器５に入力して処理して、上記被測定物１から放射される電磁波の電磁界強度を測定する。なお、上記測定器５は、合成器４から信号線１９を通して入力した信号を周波数解析して各周波数の信号の強度を測定する波形解析装置や、パソコンや、表示装置又はプリンター等を含むものである。
【００４１】
次に、このように構成された電磁界測定装置の動作について説明する。
先ず、図３に示すように、縦に延びるフレーム１０の電磁波到来側（同図に示す矢印Ａ側）の面に設けられた電波吸収体１１の表面から電磁波到来方向に突き出して、図２に示すように縦横方向にマトリクス状に設けられた複数の受信アンテナ２を、離れた位置に置かれた被測定物１と対面させて設置する。
【００４２】
ここで使用される受信アンテナ２は、図１に示すように水平偏波受信用アンテナ６のポールと垂直偏波受信用アンテナ７のポールとを直交させて一体的に形成したものであり、一つの受信アンテナ２で電磁波の水平偏波及び垂直偏波の両方を受信できるようになっている。ここでは、先ず、図４に示すように、受信アンテナ２と周波数変換回路３との間に設けた偏波切換スイッチ１７で受信信号の接続を水平偏波受信用アンテナ６側に切り換える。
【００４３】
次に、上記被測定物１を起動して電磁波を放射させ、この電磁波を上記複数の受信アンテナ２で同時に受信する。各受信アンテナ２で受信された電磁波の受信信号は、それぞれ同軸ケーブル１２により接続された周波数変換回路３に上記偏波切換スイッチ１７を通って入力する。
【００４４】
この場合、例えば、図４に示す周波数変換回路３においては、各受信アンテナ２の配設位置に対応して予め設定されたローカル信号ｆ1が発振器１３で生成され、ローパスフィルタ１４により高調波成分が除去されてミキサー１５に供給される。このミキサー１５では、上記受信アンテナ２から入力する受信信号ｆ0に上記ローカル信号ｆ1が受信アンテナ２の位置情報として付加されて（ｆ0＋ｆ1）の信号に周波数変換される。そして、増幅器１６で所定のレベルまで増幅されて周波数変換回路３から出力する。
【００４５】
なお、上述のように受信アンテナ２の受信信号に位置情報としてローカル信号を付加する場合には、例えば受信アンテナ２の受信信号の周波数がｆ0＝１ＧＨｚであるとき、ローカル信号の周波数ｆ71＝７１ＭＨｚを付加して周波数変換された信号の周波数ｆ0＋ｆ71は１．０７１ＧＨｚとなる。また、ローカル信号ｆ51＝５１ＭＨｚの２１逓倍の高調波成分も１．０７１ＧＨｚであるから、この高調波成分を周波数変換された受信アンテナ２の受信信号と誤って検知する虞がある。しかし、この実施形態においては、上記ローパスフィルタ１４を通してローカル信号の高調波成分を除去するようにしたことにより、上記誤検知を防止することができる。
【００４６】
各周波数変換回路３から周波数変換されて出力する出力信号（ｆ0±ｆ1）〜（ｆ0±ｆn）は、同軸ケーブル１８を通して合成器４に入力され、ここでそれぞれ合成されて（ｆ0±ｆ1）＋…＋（ｆ0±ｆn）となって一本の信号線１９により出力される。
【００４７】
上記合成器４の出力（ｆ0±ｆ1）＋…＋（ｆ0±ｆn）は一本の信号線１９を通って測定器５に入力し、ここで波形解析等が行なわれて処理されて水平偏波の電磁界分布が測定される。そして、その結果が測定器５の図示省略の表示部に表示され、またプリントアウトされる。
【００４８】
次に、図４に示す偏波切換スイッチ１７により、受信アンテナ２と周波数変換回路３との接続を水平偏波受信用アンテナ６側から垂直偏波受信用アンテナ７側に切り換えて、上述と同様にして垂直偏波の電磁界分布が測定される。
【００４９】
図５は、本発明による電磁界測定装置の第２の実施形態を示す斜視図である。この電磁界測定装置は、複数の受信アンテナ２が縦に延びるフレーム１０の電磁波到来側（同図に示す矢印Ａ側）の面に、縦方向に二列に並べて各受信アンテナ２が互いにジグザグ状となるように配設されたものである。また、この場合も第１の実施形態と同様に、複数の受信アンテナ２が配設されたフレーム１０の電磁波到来側の面に電波吸収体１１を設けて、上記フレーム１０の電磁波到来側の面で反射される電磁波を軽減するようになっている。そして、上記フレーム１０のベース部材の底面に車輪２０を設けて、設置面に備えたレール２１上をフレーム１０が移動できるようにして、上記複数の受信アンテナ２を電磁波の到来方向と直交する方向（同図に示す矢印Ｂ，Ｃ方向）に移動可能とされている。
【００５０】
これにより、移動する被測定物１に受信アンテナ２を追従させてフレーム１０を移動し、被測定物１から放射される電磁波の電磁界強度の時間変化をリアルタイムで測定することができる。なお、上記複数の受信アンテナ２は、図６に示すようにフレーム１０に対して縦に一列に並べて配設されたものであってもよい。
【００５１】
図７は、本発明による電磁界測定装置の第３の実施形態を示す斜視図である。この電磁界測定装置は、複数の受信アンテナ２を、円弧状のフレーム１０の電磁波到来側（同図に示す矢印Ａ側）の面に一列に並べて配設し、上記円弧状のフレーム１０の中心に回転可能に設置された被測定物１から放射される電磁波を受信できるようになっている。また、この場合も第１の実施形態と同様に、複数の受信アンテナ２が配設されたフレーム１０の電磁波到来側の面に電波吸収体１１を設けて、上記フレーム１０の電磁波到来側の面で反射される電磁波を軽減している。そして、上記フレーム１０のベース部材の底面に車輪２０を設けて移動できるようにして、上記複数の受信アンテナ２を電磁波の到来方向（同図に示す矢印Ａ方向）と同方向に移動可能とされている。
【００５２】
これにより、一つの受信アンテナ２を上記円弧状のフレーム１０に沿って所定角度だけ移動しながら測定する場合に比べて１０〜２０倍の高速で被測定物１から放射される電磁波の三次元の電磁界強度を測定することができる。なお、図７においては、被測定物１が水平に延びるアーム状の支持手段２２の先端にその垂直軸を中心に回転するようにしているが、図８に示すように設置面に対して垂直に延びるポール状の支持手段２２の先端にその中心軸回りに回転するようにしてもよい。
【００５３】
図９は、本発明による電磁界測定装置の第４の実施形態を示す斜視図である。この電磁界測定装置は、複数の受信アンテナ２が立方体の部屋２３又は電波暗室の内側の六面に内方を向いて配設され、被測定物１としての例えばパソコンから送信される無線ＬＡＮの電磁波の電磁界分布を測定できるようになっている。これにより、例えば無線ＬＡＮの受信器の設置場所を電磁界強度が最も強くなる場所や、又は複数のパソコンから放射される無線ＬＡＮの電磁波の電磁界分布が重なる場所に設定すれば、パソコンの無線ＬＡＮ接続を確実に行なうことができる。
【００５４】
図１０は、本発明による電磁界測定装置の第５の実施形態を示す斜視図である。この電磁界測定装置は、複数の受信アンテナ２を、電磁界強度を測定するための球形の電波暗室２４の内面に内方を向いて配設し、球の中心位置に配置された被測定物１からの電磁波を受信できるようになっている。これにより、被測定物１から放射される電磁波の三次元の電磁界強度を瞬時に測定することができる。
【００５５】
なお、以上の説明においては、受信アンテナ２が水平偏波受信用アンテナ６と垂直偏波受信用アンテナ７とを一体化したものである場合について述べたが、これに限られず、受信アンテナ２は、水平偏波受信用アンテナ６又は垂直偏波受信用アンテナ７のいずれか一方であってもよい。この場合、受信アンテナ２は、図４に示す偏波切換スイッチ１７を介さず、周波数変換回路３に有線で直接接続される。したがって、偏波面を切り換えて電磁界測定をするときには、上記一方のアンテナを他方のアンテナに交換するか、又は一方のアンテナを９０度回転する。
【図面の簡単な説明】
【００５６】
【図１】本発明による電磁界測定装置の第１の実施形態の要部を拡大して示す斜視図である。
【図２】上記第１の実施形態における複数の受信アンテナを示す正面図である。
【図３】図２の側面図である。
【図４】上記電磁界測定装置の周波数変換回路を示すブロック図である。
【図５】本発明による電磁界測定装置の第２の実施形態を示す斜視図である。
【図６】図５に示す受信アンテナの他の設置例を示す斜視図である。
【図７】本発明による電磁界測定装置の第３の実施形態を示す斜視図である。
【図８】図７に示す被測定物の支持手段の他の構成例を示す斜視図である。
【図９】本発明による電磁界測定装置の第４の実施形態を示す斜視図である。
【図１０】本発明による電磁界測定装置の第５の実施形態を示す斜視図である。
【符号の説明】
【００５７】
１…被測定物
２…受信アンテナ
３…周波数変換回路
４…合成器
５…測定器
６…水平偏波受信用アンテナ
６ａ，６ｂ，７ａ，７ｂ…導体膜
７…垂直偏波受信用アンテナ
８…プリント基板
１０…フレーム
１１…電波吸収体
１２，１８…同軸ケーブル（有線）
１３…発振器
１４…ローパスフィルタ
１５…ミキサー
１７…偏波切換スイッチ
１９…信号線
２３…部屋
２４…電波暗室
【図１】
2006234602.tif 000003
【図２】
2006234602.tif 000004
【図３】
2006234602.tif 000005
【図４】
2006234602.tif 000006
【図５】
2006234602.tif 000007
【図６】
2006234602.tif 000008
【図７】
2006234602.tif 000009
【図８】
2006234602.tif 000010
【図９】
2006234602.tif 000011
【図１０】
2006234602.tif 000012